【手続補正書】
【提出日】令和3年4月20日(2021.4.20)
【手続補正１】
【補正対象書類名】特許請求の範囲
【補正対象項目名】請求項４
【補正方法】変更
【補正の内容】
【請求項４】
板紙基材の少なくとも裏面側にシーラントを積層した紙容器材料からなり、前記胴部を形成するところの、胴部縦折線を介して連接している正面パネル・右側面パネル・背面パネル・左側面パネルと、前記頂部を形成するところの、前記正面パネル・背面パネルの上端に頂部横折線を介して連接している互いに対向する一対の頂面パネル及び左側面パネル・右側面パネルの上端に頂部横折線を介して連接している互いに対向する一対の折面パネルと、前記頂面パネルと前記折面パネルの上端に封止部横折れ罫線を介してそれぞれ連接している封止パネルと、前記正面パネル・背面パネルの下端に底部横折線を介して連接している互いに対向する一対の底面パネル及び左側面パネル・右側面パネルの下端に底部横折線を介して連接している互いに対向する一対の内面パネルとを備え、
前記正面パネルの上端に連接している頂面パネルには、前記第１頂部角部となる、前記正面パネルの上端の頂部横折線と、前記頂面パネルと前記一対の折面パネルのうちのいずれか一方の折面パネルとの間に有する頂部縦折線との交点に近接した位置に口栓取付用開口部が形成されており、
前記第１胴部角部を形成するところの、前記交点に繋がる前記正面パネルと前記左右いずれか一方の側面パネルとの間の胴部縦折線は、前記交点又は前記交点から僅かに離れた位置を起点とし、該起点から前記正面パネルと前記左右いずれか一方の側面パネルとに分岐して、前記正面パネルの底部横折線と前記左右いずれか一方の側面パネルの底部横折線に向かって延在し、前記正面パネルの底部横折線と前記左右いずれか一方の側面パネルの底部横折線との交点に至るまでの間の位置で繋がり終点とする前記第１凹部を形成するところの２本の凹部形成用折線部を有する一枚のブランクシートから成形されていることを特徴とする請求項１から３のいずれか１項に記載の口栓付紙容器。
【手続補正２】
【補正対象書類名】明細書
【補正対象項目名】００１５
【補正方法】変更
【補正の内容】
【００１５】
請求項４に記載の発明は、請求項１から３のいずれか１項に記載の発明であって、板紙基材の少なくとも裏面側にシーラントを積層した紙容器材料からなり、前記胴部を形成するところの、胴部縦折線を介して連接している正面パネル・右側面パネル・背面パネル・左側面パネルと、前記頂部を形成するところの、前記正面パネル・背面パネルの上端に頂部横折線を介して連接している互いに対向する一対の頂面パネル及び左側面パネル・右側面パネルの上端に頂部横折線を介して連接している互いに対向する一対の折面パネルと、前記頂面パネルと前記折面パネルの上端に封止部横折れ罫線を介してそれぞれ連接している封止パネルと、前記正面パネル・背面パネルの下端に底部横折線を介して連接している互いに対向する一対の底面パネル及び左側面パネル・右側面パネルの下端に底部横折線を介して連接している互いに対向する一対の内面パネルとを備え、前記正面パネルの上端に連接している頂面パネルには、前記第１頂部角部となる、前記正面パネルの上端の頂部横折線と、前記頂面パネルと前記一対の折面パネルのうちのいずれか一方の折面パネルとの間に有する頂部縦折線との交点に近接した位置に口栓取付用開口部が形成されており、前記第１胴部角部を形成するところの、前記交点に繋がる前記正面パネルと前記左右いずれか一方の側面パネルとの間の胴部縦折線は、前記交点又は前記交点から僅かに離れた位置を起点とし、該起点から前記正面パネルと前記左右いずれか一方の側面パネルとに分岐して、前記正面パネルの底部横折線と前記左右いずれか一方の側面パネルの底部横折線に向かって延在し、前記正面パネルの底部横折線と前記左右いずれか一方の側面パネルの底部横折線との交点に至るまでの間の位置で繋がり終点とする前記第１凹部を形成するところの２本の凹部形成用折線部を有する一枚のブランクシートから成形されていることを特徴とする。
【手続補正３】
【補正対象書類名】明細書
【補正対象項目名】００１７
【補正方法】変更
【補正の内容】
【００１７】
【図１】本発明に係る口栓付紙容器の実施の形態の一例を示す右側面図である。
【図２】図１に示す口栓付紙容器の上方から見た斜視図である。
【図３】図２に示す口栓付紙紙器の対角線側から見た斜視図である。
【図４】第１凹部の説明図である。
【図５】第１凹部の他例を示す説明図である。
【図６】第１凹部の他例を示す説明図である。
【図７】第１凹部の他例を示す説明図である。
【図８】第１凹部の他例を示す説明図である。
【図９】第１凹部の他例を示す説明図である。
【図１０】第１凹部の他例を示す説明図である。
【図１１】液体内容物を注出するときの口栓の位置を示す説明図である。
【図１２】液体内容物の注出状態を示す断面説明図である。
【図１３】図１に示す口栓付容器の容器本体を成形するブランクスシートを示す平面図である。
【手続補正４】
【補正対象書類名】明細書
【補正対象項目名】００１８
【補正方法】変更
【補正の内容】
【００１８】
以下、本発明に係る口栓付紙容器の実施の形態の一例を、図面を参照して詳細に説明する。
図１乃至図１２は本発明に係る口栓付紙容器の実施の形態の一例を示すものであり、図１は本発明に係る口栓付紙容器の実施の形態の一例を示す右側面図、図２は図１に示す口栓付紙容器の上方から見た斜視図、図３は図２に示す口栓付紙容器の対角線側から見た斜視図、図４は第１凹部の説明図、図５乃至図１０は第１凹部の他例を示す説明図、図１１は液体内容物を注出するときの口栓の位置を示す説明図、図１２は液体内容物の注出状態を示す断面説明図である。
【手続補正５】
【補正対象書類名】明細書
【補正対象項目名】００２１
【補正方法】変更
【補正の内容】
【００２１】
胴部６は、正面パネル２、右側面パネル３、背面パネル４、左側面パネル５間に形成された４つの胴部角部１２の内、口栓１０が設けられた第１頂部角部１１（Ａ）を形成する正面パネル２と右側面パネル３との間の第１胴部角部１２（Ａ）に、第１頂部角部１１（Ａ）又は第１頂部角部１１（Ａ）から僅かに離れた位置を起点Ｓとし、起点Ｓからから正面パネル２と右側面パネル３に分岐して底部７に向かって延在し、底部７における４つの底部角部１３のうち、正面パネル２の底辺２ｂと右側面パネル３の底辺３ｂとにより形成される第１底部角部１３（Ａ）に至るまでの間の位置で繋がり終点Ｅとする２本の凹部形成用折線部１４，１５に囲まれた第１凹部１６が形成されている。
【手続補正６】
【補正対象書類名】明細書
【補正対象項目名】００２７
【補正方法】変更
【補正の内容】
【００２７】
このように構成された口栓付紙容器１は、容器本体９の胴部６における第１胴部角部１２（Ａ）に、第１頂部角部１１（Ａ）又は第１頂部角部１１（Ａ）から僅かに離れた位置を起点Ｓとし、起点Ｓからから正面パネル２と右側面パネル３に分岐して底部７方向に向かって延在し、第１底部角部１３（Ａ）に至るまでの間の位置で繋がり終点Ｅとする２本の凹部形成用折線部１４，１５に囲まれた第１凹部１６が形成されているので、第１胴部角部１２（Ａ）を内面側から見たとき、第１凹部１６によって第１胴部角部１２（Ａ）が穏やかな盛り上がり２０が形成され、第１凹部１６における第１頂部角部１１（Ａ）側の先端部分が口栓１０方向に向かって傾斜面２１となる（図１２参照。）。
【手続補正７】
【補正対象書類名】明細書
【補正対象項目名】００２８
【補正方法】変更
【補正の内容】
【００２８】
内部に収容している液状内容物の注出に際しては、容器本体を第１頂部角部１１（Ａ）、第１胴部角部１２（Ａ）が下方となるように傾けて行うことにより（図１１、図１２参照。）、第１胴部角部１２（Ａ）が樋状となって容器本体９内の液体内容物を口栓１０方向に誘導し、液体内容物をスムーズに注出させる。